(57)【要約】【課題】横向き８の字形移動により、腰をひねる作用を達成し、健康を保つ腰ツイスト運動器具を提供する。【解決手段】腰ツイスト運動器具は、主に座シート、機器本体、モーター、回転部品、連桿、移動桿、第一揺動腕および第二揺動腕を具える駆動装置を含む。連桿の一端は移動桿の中間点に連接し、その移動桿両端にはそれぞれ第一揺動腕及び第二揺動腕を連接し、第一揺動腕及び第二揺動腕が交差した状態で枢設する。更に連桿は回転部品に枢設し、回転部品によって移動桿の中間点の軌跡が直線のような往復運動を行い、その往復運動の過程に於いて移動桿が傾斜する。往復距離は遠くなればなるほど傾斜角度が大きくなり、且つ往復の傾斜方向も異なり、更に回転部品の牽引桿が機器本体を揺らし、更に往復の直線起動を横向き８の字形に転換し、ユーザーが座シートに座り、手すりを持って腰ツイスト運動を行う。【選択図】図１
0003142208.tif 000002
【実用新案登録請求の範囲】
【請求項１】
機器本体、駆動装置、座シートから構成された腰ツイスト運動器具において、
機器本体と、
モーター、回転部品、連桿、移動桿、第一揺動腕及び第二揺動腕及び牽引桿を具え、その駆動モーターは回転部品を動かし、連桿の一端は移動桿の中間部位に連接し、移動桿の両端はそれぞれ第一揺動腕及び第二揺動腕を連接し、第一揺動腕及び第二揺動腕を交差させた状態で組立枢設し、続いて連桿を回転部品に枢設し、その回転部品によって移動桿の中間点を移動させた軌跡が直線のような往復運動を行い、その往復運動の過程に於いて移動桿が傾斜し、往復距離が遠くなればなるほど傾斜角度が大きくなり、且つ往復の傾斜方向が異なり、更に回転部品の牽引桿が機器本体を動かして揺らし、更に往復の直線軌跡が横向き８の字形に転換され、曲線状の往復運動をする駆動装置と、
駆動装置の移動桿に固定し、座シートが移動する軌跡横向き８の字形であるため、丸い曲線の往復運動で且つ往復運動時に左右に傾斜する座シートを含むことを特徴とする腰ツイスト運動器具。
【請求項２】
前記駆動装置は、主な部品を機器本体の空間内に設置し、その機器本体の下方とモーター固定板の間にはベアリングを設置して機器が左右に揺れやすくし、機器本体上板には多数のベアリングを設置し、座シートの滑動揺動を滑らかにすることを特徴とする請求項１記載の腰ツイスト運動器具。
【請求項３】
前記第一揺動腕及び第二揺動腕の一端は機器本体上板に連接し、座シートの滑動時に同時に座シートの方向を変更することを特徴とする請求項１記載の腰ツイスト運動器具。
【請求項４】
前記腰ツイスト運動機器は、手すりを設置し、その手すりはモーター固定板もしくは座シートに設置することを特徴とする請求項１記載の腰ツイスト運動器具。
【考案の詳細な説明】
【技術分野】
【０００１】
本考案は、腰ツイスト運動器具に関するもので、特に横向き８の字形の移動により、腰をひねる作用を達成し、健康を保つものである。
【背景技術】
【０００２】
経済の発展及び工業化社会の忙しい生活により、我々は適当な戸外運動が不足している。そのため肥満もしくは太りすぎになるため、我々は通常運動器具に依る運動をしている。
【特許文献１】登録実用新案第３０８６６３８号公報
【考案の開示】
【考案が解決しようとする課題】
【０００３】
解決しようとする問題点は、一般の運動器具に於けるウォーキングや身体部位の伸縮、もしくは馬乗りの動作の他に、ダイエット、脂肪を燃やすのに最も効果ある腰をひねる動作の運動器具は少なく、また効果もよくない点である。そのため、運動器具に腰ツイストを構成し、腰部をすっきりさせる効果を高めることを本考案の課題とする。
【課題を解決するための手段】
【０００４】
本考案は、主に座シート、機器本体、モーター、回転部品、連桿、移動桿、第一揺動腕および第二揺動腕を具える駆動装置を含む。連桿の一端は移動桿の中間点に連接し、その移動桿両端にはそれぞれ第一揺動腕及び第二揺動腕を連接し、第一揺動腕及び第二揺動腕が交差した状態で枢設する。更に連桿は回転部品に枢設し、回転部品によって移動桿の中間点の軌跡が直線のような往復運動を行い、その往復運動の過程に於いて移動桿が傾斜する。往復距離は遠くなればなるほど傾斜角度が大きくなり、且つ往復の傾斜方向も異なり、更に回転部品の牽引桿が機器本体を揺らし、更に往復の直線起動を横向き８の字形に転換し、ユーザーが座シートに座り、手すりを持って腰ツイスト運動を行うことを最も主要な特徴とする。
【考案の効果】
【０００５】
本考案の腰ツイスト運動器具は、横向き８の字形の移動により、腰をひねる作用を達成し、健康を保つという利点がある。
【考案を実施するための最良の形態】
【０００６】
運動器具に乗って横向き８の字形に移動して腰ツイストを行う腰ツイスト運動器具を提供することを本考案の主な目的とする。
【０００７】
前述の腰ツイスト運動器具は、座シート、機器本体、脚台、手すりを含む。そのうち、機器本体の空間内に回転部品、連桿、移動桿、第一揺動腕及び第二揺動腕及び、牽引桿を具えて設置する。その連桿の一端には移動桿の中間点に連接し、移動桿の両端にはそれぞれ第一揺動腕及び第二揺動腕を連接し、更に連桿はモーターによって動く回転部品に連接し、回転部品により移動桿の中間点の軌跡は直線のような往復運動を行い、その往復運動の過程で移動桿は傾斜し、往復距離が遠くなればなるほど傾斜角度が大きくなり、且つ往復の傾斜方向が異なり、回転部品の牽引桿が機器本体の揺れを構成し、更に往復の直線軌跡が横向き８の字形に転換し、ユーザーが座シートに座り、手すりを握り、腰ツイスト運動を行う。
【０００８】
前述の腰ツイスト運動器具は、そのうち駆動装置は主に機器本体内に設置し、機器本体下方とモーター固定板の間にはベアリングを設置し、機器本体を左右に揺動させ、機器本体上板には多数のベアリングを設置して座シートを滑動しやすくする。
【０００９】
前述の腰ツイスト運動器具は、そのうち、第一揺動腕及び第二揺動腕を機器本体上板に連接し、座シートが滑動すると同時に座シートの方向を変更する。
【００１０】
第一図及び第二図、更に第三図に示すとおり、本考案は主に座シート１、支持台２、脚台及び手すり４を含む。そのうち、この座シートは座シート固定板１１に固定し、座シート固定板１１下方には円フレーム形状の機器本体上板６１を設置する。この機器本体上板６１の周辺縁にはベアリング６２を設置する。
【００１１】
駆動装置５は、機器本体６内に設置し、その装置は回転部品５６、連桿５１、移動桿５２、第一揺動腕５３及び第二揺動腕５４及び牽引桿５５を含む。そのうち、連桿５１の一端には移動桿５２を連接し、その移動桿５２の両端にはそれぞれ第一揺動腕及び第二揺動腕５４を連接し、その第一揺動腕５３及び第二揺動腕５４を交差して組立枢設する。別にモーター８は機器本体６下方に設置して回転部品５６を動かす。
【００１２】
機器本体６は、座シート固定板１１下方に設置し、その一側には回転部品５６を設置し、その回転部品５６の上方には回転部品上板５７を設置して前述の連桿５１及び牽引桿５５を回転部品上板５７及び回転部品５６に連接する。
【００１３】
モーター固定板７は、機器本体６下方に設置し、その上方にはベアリング７１、７２を設置する。
【００１４】
モーター８は、モーター固定板７の下方に固定し、その軸心はモーター固定板７に差し込んだ後、駆動装置５の回転部品５６に枢設する。
【００１５】
前述の部品を組み合わせることにより、座シート１は支持台２上方に設置し、その支持台２底部には脚台３を設置し、手すり４はモーター固定板７に固定し、手すり４を座シート１から座シートの両側に上方向に伸びて設置して腰ツイスト運動器具を構成する。ユーザーが座シート１上に座り、両手で手すり４を握り、駆動装置５を始動すると、モーター８が回転部品５６を動かし、その回転部品５６によって移動桿５２の中間点の軌跡を直線のように往復運動させ、その往復運動の過程で移動桿が傾斜し、且つ往復の距離は遠なればなるほど傾斜角度が大きくなり、往復の傾斜方向も異なる。更に回転部品５６の牽引桿５５が機器本体を動かして揺らし、更に往復の直線軌跡を横向き８の字形に転換し、腰ツイスト運動を行う。
【００１６】
第四図、第五図及び第六図及び第七図と、第一図に示すとおり、本考案を使用する時、ユーザーは座シート１上に乗り、両手で手すり４を握り、モーター８が始動すると、回転部品５６が時計回りもしくは時計と逆方向に回る。その時移動桿５２の中間点の軌跡は直線に近い往復運動である。移動桿５２の中間点が左側前に動くと、座シートは時計と逆回りに傾斜し（第四図参照）、移動桿５２の中間点が右側前に動くと、座シートは時計回りに傾斜する（第六図参照）。左右往復に傾斜して方向が異なり、更に回転部品５６の牽引桿５５は機器本体２を動かして揺れ、ユーザーの臀部が左側に移動すると、徐々に時計と逆回りに傾斜し、ユーザーの臀部が右側に移動すると、徐々に時計回りに傾斜して循環動作を行い、往復直線軌跡が横向き８の字型に転換し、腰ツイスト運動を行う。
【００１７】
第八図に示すとおり、本考案は前述の駆動装置５により、ユーザーが座シート１に乗った時、座シート１は横向き８の字形に往復運動し、更に座シート１に座ったユーザーの腰部をツイストさせ、腰を捻って痩身する効果を達成する。
【００１８】
本考案の回転部品と連桿により、交差連接した連桿、移動桿及び揺動腕により、運動器具に座った後、横向き８の字形に移動させ、ツイスト作用を達成し、運動効果を得る。
【図面の簡単な説明】
【００１９】
【図１】本考案の立体図である。
【図２】本考案の立体分解図である。
【図３】本考案の立体分解図である。
【図４】本考案の駆動装置の動作実施例図である。
【図５】本考案の駆動装置の動作実施例図である。
【図６】本考案の駆動装置の別の動作実施例図であるで。
【図７】本考案の駆動装置の別の動作実施例図である。
【図８】本考案の座シート動作実施例図である。
【符号の説明】
【００２０】
１        座シート
１１        座シート固定板
２        支持台
３        脚台
４        手すり
５        駆動装置
５１        連桿
５２        移動桿
５３        第一揺動腕
５４        第二揺動腕
５５        牽引桿
５６        回転部品
５７        回転部品上板
６        機器本体
６１        機器本体上板
６２        ベアリング
７        モーター固定板
７１        ベアリング
７２        ベアリング
８        モーター
【図１】
0003142208.tif 000003
【図２】
0003142208.tif 000004
【図３】
0003142208.tif 000005
【図４】
0003142208.tif 000006
【図５】
0003142208.tif 000007
【図６】
0003142208.tif 000008
【図７】
0003142208.tif 000009
【図８】
0003142208.tif 000010